(57)【特許請求の範囲】
【請求項１】
クリップと、
前記クリップが取り付けられる軸筒部材又はキャップ部材と、
前記軸筒部材又はキャップ部材の内部に長手方向に移動不能に配設され前記クリップを支持するクリップ支持部材と、
を備え、
前記クリップは、
クリップ片と、
前記クリップ片の先端よりも後端側に離れた位置に形成され、前記クリップ片の両側面より延設された脚部と、
前記脚部より延設され、前記軸筒部材又はキャップ部材の内壁面に当接する当接部と、
前記脚部より前方に位置する前記クリップの部分を前記軸筒部材又はキャップ部材の外周面に載置する載置部と、
を有し、
前記軸筒部材又はキャップ部材は、
開口端部と、
前記クリップの全長よりも短い前記開口端部からの位置に形成された、前記脚部を挿入して配設するクリップ係止孔と、
を有し、
前記軸筒部材又はキャップ部材の前記開口端部から前記クリップの後端部を挿入し、前記クリップを前記軸筒部材又はキャップ部材の内側から外側に突出させ、前記クリップの前記載置部を前記クリップ係止孔の縁部における前記軸筒部材又はキャップ部材の外壁面に載置するとともに前記脚部を前記クリップ係止孔の前方縁面に当接し、前記クリップの前記当接部を前記クリップ係止孔の前記縁部における前記軸筒部材又はキャップ部材の内壁面に当接して配設し、前記クリップ支持部材を前記軸筒部材又はキャップ部材内に配設し前記クリップを前記軸筒部材又はキャップ部材に固定した
ことを特徴とする、筆記具のクリップ取付構造。
【請求項２】
前記開口端部は前記クリップを取付けた際における前記クリップの後端部側に位置しており、
前記クリップを前記軸筒部材又はキャップ部材の内側から外側に突出させることは、
前記クリップ片の裏側を前記クリップ係止孔に対向するように前記クリップの後端部を前記開口端部から前記クリップ係止孔に挿入し、前記クリップの前記後端部を前記開口端部側へ回動して行う
請求項１に記載の筆記具のクリップ取付構造。
【請求項３】
前記軸筒部材又はキャップ部材は軸筒であり、
前記軸筒の前記開口端部に挿入される、一端側に第１螺子部が形成された頭栓部材と、
先端側の小径部を有し、前記小径部に前記頭栓部材の前記第１螺子部に螺着される第２螺子部が形成された、前記軸筒の前記開口端部とは反対側の開口部から挿入される内軸と
を備え、
前記クリップ支持部材は前記内軸である
請求項１に記載の筆記具のクリップ取付構造。
【請求項４】
前記小径部の端部には、前記脚部の後端面に当接可能な段部が形成されている
請求項３に記載の筆記具のクリップ取付構造。
【請求項５】
前記頭栓部材には、前記クリップの軸心に向かう方向へ沈み込みを防止するために前記脚部を支持する支持部が形成されている
請求項３に記載の筆記具のクリップ取付構造。
【請求項６】
前記軸筒部材又はキャップ部材は頭端部材であり、
前記頭端部材と連結される軸筒と、
前記軸筒の内部に装着される内軸と
を備え、
前記クリップ支持部材は前記内軸であり、
前記開口端部が前記頭端部材の前記軸筒に連結される側に形成された開口である
請求項１に記載の筆記具のクリップ取付構造。
【請求項７】
前記軸筒は小径に形成された頭端部を有し、
前記頭端部材に形成された前記クリップ係止孔の、前記軸筒に連結する側の後端縁辺には、突出した突片が設けられ、
前記内軸は前記軸筒の前記頭端部内に収容される小径部を有し、
前記小径部は、
前記クリップ係止孔に対し内側から外側に突出し、前記クリップの先端の内壁面に当接する、軸心に沿った方向に突出した突出部と、
前記突片を係止させるための凹溝と
を有する
請求項６に記載の筆記具のクリップ取付構造。
【請求項８】
前記当接部は前記脚部より均等に延設された部分と、この均等に延設された部分からさらに延設された突起部とを有し、前記突起部は前記頭端部の頭端面に当接する
請求項７に記載の筆記具のクリップ取付構造。
【請求項９】
前記軸筒部材又はキャップ部材はキャップであり、前記開口端部が前記キャップの筆記先端部挿入開口端部であり、
前記クリップ支持部材は、前記キャップ内に配設される内キャップである
請求項１に記載の筆記具のクリップ取付構造。
【請求項１０】
前記内キャップには、前記クリップの軸心に向かう方向へ沈み込みを防止するために前記脚部を支持する支持部が形成されている
請求項９に記載の筆記具のクリップ取付構造。
【請求項１１】
前記支持部の端部には、前記脚部の後端面に当接可能な段部が形成されている
請求項１０に記載の筆記具のクリップ取付構造。
【請求項１２】
筆記具のクリップ取付方法であって、
前記筆記具のクリップ取付構造は、
クリップと、
前記クリップが取り付けられる軸筒部材又はキャップ部材と、
前記軸筒部材又はキャップ部材の内部に長手方向に移動不能に配設され前記クリップを支持するクリップ支持部材と、
を備え、
前記クリップは、
クリップ片と、
前記クリップ片の先端よりも後端側に離れた位置に形成され、前記クリップ片の両側面より延設された脚部と、
前記脚部より延設され、前記軸筒部材又はキャップ部材の内壁面に当接する当接部と、
前記脚部より前方に位置する前記クリップの部分を前記軸筒部材又はキャップ部材の外周面に載置する載置部と、
を有し、
前記軸筒部材又はキャップ部材は、
開口端部と、
前記クリップの全長よりも短い前記開口端部からの位置に形成された、前記脚部を挿入して配設するクリップ係止孔と、
を有し、
前記軸筒部材又はキャップ部材の前記開口端部から前記クリップの後端部を挿入し、  前記クリップを前記軸筒部材又はキャップ部材の内側から外側に突出させ、
前記クリップの前記載置部を前記クリップ係止孔の縁部における前記軸筒部材又はキャップ部材の外壁面に載置するとともに前記脚部を前記クリップ係止孔の前方縁面に当接し、
前記クリップの前記当接部を前記クリップ係止孔の前記縁部における前記軸筒部材又はキャップ部材の内壁面に当接して配設し、
前記クリップ支持部材を前記軸筒部材又はキャップ部材内に配設し前記クリップを前記軸筒部材又はキャップ部材に固定した
ことを特徴とする、筆記具のクリップ取付方法。
【請求項１３】
前記開口端部は前記クリップを取付けた際における前記クリップの後端部側に位置しており、
前記クリップを前記軸筒部材又はキャップ部材の内側から外側に突出させることは、
前記クリップ片の裏側を前記クリップ係止孔に対向するように前記クリップの後端部を前記開口端部から前記クリップ係止孔に挿入し、前記クリップの前記後端部を前記開口端部側へ回動して行う
請求項１２記載の筆記具のクリップ取付方法。
【発明の詳細な説明】
【技術分野】
【０００１】
本発明は、筆記具のクリップ取付構造に関する。
【背景技術】
【０００２】
従来より、軸筒部材またはキャップ部材へクリップを取り付けるクリップ取付構造は多数提案されている。ここで、軸筒部材とは、筆記具の軸筒や軸筒の先端部に装着した頭端部材等をいい、キャップ部材とは、キャップやキャップ本体の頭端部に装着した頭冠部材やキャップ本体等をいう。
ところで、クリップの機能は、筆記具を机上等に置いた際の転がり防止や、ポケット等の布地を軸筒の表面としっかり挟持することで携帯時におけるポケット等からの飛び出しを防止する機能がある。後者のクリップに挟持機能を与えるためにはクリップ片（クリップ本体）を持ち上げた際に挟持力が得られるようにする必要があるが、その挟持力の得られ方によりクリップの取付構造も変わってくる。一つは、クリップ片自体が撓むことで挟持力が得られるもので、クリップを直接軸筒部材やキャップ部材に固定するものである。もう一つは、クリップにバネ等を連接し、クリップ全体が軸筒部材やキャップ部材に対して撓むことで前記バネ等が変形して挟持力が得られるもので、バネ等をクリップに連接して軸筒部材やキャップ部材にクリップを取付けるものである。後者のバネをクリップに連接してクリップ全体が撓むような構造は、バネを軸筒やキャップ内に固定する必要があり、構造が複雑化する。その点、前者のクリップ片自体が撓むような構造のクリップは、クリップを軸筒部材やキャップ部材に直に固定すれば良いので、構造が簡単となる。【０００３】
中でも簡単な構造で簡単にクリップをキャップ本体に取付けられるものとして、実開昭５６−６９４８９号公報に開示された構造のものがある。この「筆記具のクリップ装置」は、筆記具本体若しくはそのキャップ本体にその長手方向に沿う角若しくは長孔を開設すると共にクリップ本体の基端の両側に折曲壁を構成し、この折曲壁の先端面の上方部寄りの個所を筆記具本体若しくはそのキャップ本体の外面への衝合部とすると共にその下方部を角若しくは長孔への嵌入部とし、この嵌入部の下端縁に外方への舌状弾性突片を延設し、同嵌入部を上記の角若しくは長孔に斜めに当接して舌状弾性突片を角若しくは長孔の内方に貫出せしめ、然るのちクリップ本体を筆記具本体若しくはキャップ本体に平行となるように捻回して上記の嵌入部を角若しくは長孔に嵌入させて成る構造である。【０００４】
しかし、前記取付構造では、嵌入部を角若しくは長孔に斜めに当接して舌状弾性突片を角若しくは長孔の内方に貫出せしめ、然るのちクリップ本体を筆記具本体若しくはキャップ本体に平行となるように捻回するので、筆記具本体若しくはキャップ本体が金属製でメッキ等で加飾され、クリップ本体が金属製であるならば、筆記具本体若しくはキャップ本体の表面に捻回による擦り傷が生じる可能性がある。【０００５】
また従来、軸筒に形成したクリップ取付用窓孔の周縁の内壁面に当接する基端取付脚部を設けたクリップを、軸筒の内部へ頂端開口から挿入して前記クリップの基端取付脚部を除く先端部を窓孔から軸筒の外部へ貫出させる技術が、実開平３−８５９４号の公報により開示されているが、この技術を前記取付構造に組み入れれば、前記問題を解消することができる。しかし、クリップ本体の後端を筆記具本体若しくはキャップ本体の開口端部の内側から挿入して角若しくは長孔の外方へ貫出させて配設するには、当然に角若しくは長孔の長手方向の長さが、クリップ本体の嵌入部と衝合部を合わせた部分の長手方向の長さより長くなければならなく、角若しくは長孔内でクリップ本体が長手方向に沿って前後動する等のがたつきが生じるという問題がある。がたつきを解決するためには、天冠をさしこんでいるが、がたつきを防止するには充分でない。
【特許文献１】実開昭５６−６９４８９号公報
【特許文献２】実開平３−８５９４号公報
【発明の開示】
【発明が解決しようとする課題】
【０００６】
本発明が解決しようとする課題は、簡単な構造で簡単に軸筒部材又はキャップ部材に取付けられ、クリップを取付ける際に軸筒部材又はキャップ部材の表面を傷つけたりせず、取付けた後にがたつきが生じない筆記具のクリップ取付構造及びその取付方法を提案するものである。
【課題を解決するための手段】
【０００７】
上記課題を解決するために、本件発明は、クリップと、前記クリップが取り付けられる軸筒部材又はキャップ部材と、前記軸筒部材又はキャップ部材の内部に長手方向に移動不能に配設され前記クリップを支持するクリップ支持部材と、を備え、前記クリップは、クリップ片と、前記クリップ片の先端よりも後端側に離れた位置に形成され、前記クリップ片の両側面より延設された脚部と、前記脚部より延設され、前記軸筒部材又はキャップ部材の内壁面に当接する当接部と、前記脚部より前方に位置する前記クリップの部分を前記軸筒部材又はキャップ部材の外周面に載置する載置部と、を有し、前記軸筒部材又はキャップ部材は、開口端部と、前記クリップの全長よりも短い前記開口端部からの位置に形成された、前記脚部を挿入して配設するクリップ係止孔と、を有し、前記軸筒部材又はキャップ部材の前記開口端部から前記クリップの後端部を挿入し、前記クリップを前記軸筒部材又はキャップ部材の内側から外側に突出させ、前記クリップの前記載置部を前記クリップ係止孔の縁部における前記軸筒部材又はキャップ部材の外壁面に載置するとともに前記脚部を前記クリップ係止孔の前方縁面に当接し、前記クリップの前記当接部を前記クリップ係止孔の前記縁部における前記軸筒部材又はキャップ部材の内壁面に当接して配設し、前記クリップ支持部材を前記軸筒部材又はキャップ部材内に配設し前記クリップを前記軸筒部材又はキャップ部材に固定したことを特徴とする。【０００８】
また、前記開口端部は前記クリップを取付けた際における前記クリップの後端部側に位置しており、前記クリップを前記軸筒部材又はキャップ部材の内側から外側に突出させることは、前記クリップ片の裏側を前記クリップ係止孔に対向するように前記クリップの後端部を前記開口端部から前記クリップ係止孔に挿入し、前記クリップの前記後端部を前記開口端部側へ回動して行うことを特徴とする。
また、前記軸筒部材又はキャップ部材は軸筒であり、
前記軸筒の前記開口端部に挿入される、一端側に第１螺子部が形成された頭栓部材と、先端側の小径部を有し、前記小径部に前記頭栓部材の前記第１螺子部に螺着される第２螺子部が形成された、前記軸筒の前記開口端部とは反対側の開口部から挿入される内軸とを備え、前記クリップ支持部材は前記内軸であることを特徴とする。
また、前記小径部の端部には、前記脚部の後端面に当接可能な段部が形成されていることを特徴とする。
また、前記頭栓部材には、前記クリップの軸心に向かう方向へ沈み込みを防止するために前記脚部を支持する支持部が形成されていることを特徴とする。
また、前記軸筒部材又はキャップ部材は頭端部材であり、前記頭端部材と連結される軸筒と、前記軸筒の内部に装着される内軸とを備え、前記クリップ支持部材は前記内軸であり、前記開口端部が前記頭端部材の前記軸筒に連結される側に形成された開口であることを特徴とする。
また、前記軸筒は小径に形成された頭端部を有し、前記頭端部材に形成された前記クリップ係止孔の、前記軸筒に連結する側の後端縁辺には、突出した突片が設けられ、前記内軸は前記軸筒の前記頭端部内に収容される小径部を有し、前記小径部は、前記クリップ係止孔に対し内側から外側に突出し、前記クリップの先端の内壁面に当接する、軸心に沿った方向に突出した突出部と、前記突片を係止させるための凹溝とを有することを特徴とする。
また、前記当接部は前記脚部より均等に延設された部分と、この均等に延設された部分からさらに延設された突起部とを有し、前記突起部は前記頭端部の頭端面に当接することを特徴とする。
また、前記軸筒部材又はキャップ部材はキャップであり、前記開口端部が前記キャップの筆記先端部挿入開口端部であり、前記クリップ支持部材は、前記キャップ内に配設される内キャップであることを特徴とする。
また、前記内キャップには、前記クリップの軸心に向かう方向へ沈み込みを防止するために前記脚部を支持する支持部が形成されていることを特徴とする。
また、前記支持部の端部には、前記脚部の後端面に当接可能な段部が形成されていることを特徴とする。
【０００９】
本発明の筆記具のクリップ取付構造において、軸筒部材とは、ノック式筆記具や回転式筆記具のようにクリップが取付けられた軸筒（軸筒が前軸と後軸からなる場合は後軸の部分）や、筆記体の筆記先端部が出没する側と反対側の開口した軸筒の頭端部に装着した頭栓部材等のことをいい、クリップが取付け可能な軸筒及び軸筒に連接した部材をいう。キャップ部材とは、キャップや、キャップがキャップ本体とキャップ本体の頭端部に装着した頭冠部材とで構成されている場合のキャップ本体や頭冠部材のことをいい、クリップが取付け可能なキャップ及びキャップ本体に連接した部材をいう。
軸筒部材又はキャップ部材の内部に長手方向に移動不能に配設されクリップを支持するクリップ支持部材とは、軸筒部材においては、前記頭栓部材や、軸筒が前軸と後軸からなる場合の前軸と後軸を連結する連結部材や、軸筒内に装着した内軸等のことであり、キャップ部材においては、キャップ本体の頭端部に装着した頭冠部材や、筆記先端部回りの気密を保持するためにキャップ本体内に装着した内キャップ等のことである
【発明の効果】
【００１０】
本発明の筆記具の取付構造は前記したような構造なので、簡単な構造でかつ簡単にクリップを軸筒部材又はキャップ部材の取付けることができ、かつクリップを取付ける際に軸筒部材又はキャップ部材の表面を傷つけることがない。また、軸筒部材又はキャップ部材に長手方向に移動不能に配設した部材でクリップを支持して、クリップの後端部側への移動を防止しているのでがたつきも生じない。
【図面の簡単な説明】
【００１１】
【図１】第１の実施の形態に係る筆記具のクリップ取付構造を表す縦断面図である。
【図２】図１におけるＡ−Ａ線部分の拡大横断面図である。
【図３】第１の実施の形態における軸筒の平面図である。
【図４】第１の実施の形態におけるクリップを軸筒に取付ける工程を示した図で、要部を断面とした図である。
【図５】次の工程の、クリップを軸筒に配設し頭栓部材を軸筒に装着した状態を示した縦断面図である。
【図６】第１の実施の形態における頭栓部材の斜視図である。
【図７】第２の実施の形態に係る筆記具のクリップ取付構造を表す縦断面図である。
【図８】図７における要部の拡大図である。
【図９】第２の実施の形態におけるクリップを取付けた状態の筆記具の平面図である。
【図１０】第２の実施の形態における頭端部材の平面図である。
【図１１】第２の実施の形態における軸筒の頭端部分の平面図である。
【図１２】第２の実施の形態における内軸の平面図である。
【図１３】第２の実施の形態に係る筆記具のクリップ取付構造においてクリップを頭端部材に取付ける工程を示した縦断面図である。
【図１４】次の工程の、クリップを配設した頭端部材を軸筒に装着する状態を示した縦断面図である。
【図１５】第３の実施の形態に係る筆記具のクリップ取付構造を表す縦断面図である。
【図１６】図１５におけるＢ−Ｂ線部分の拡大横断面図である。
【図１７】第３の実施の形態におけるキャップの平面図である。
【図１８】第３の実施の形態におけるクリップをキャップに取付ける工程を示した図で、要部を断面とした図である。
【図１９】次の工程の、クリップをキャップに配設しキャップ内に内キャップを装着する状態を示した、要部を断面とした図である。
【図２０】第３の実施の形態における内キャップの斜視図である。
【発明を実施するための最良の形態】
【００１２】
本発明における筆記具のクリップ取付構造は、クリップに、クリップ片（クリップ本体）の左右の両側面より延設した断面Ｕ字型の脚部を形成し、該脚部の先端にを外方に向かって折曲してクリップを取り付ける軸筒部材又はキャップ部材の内壁面に当接する当接部を設ける。軸筒部材又はキャップ部材にクリップ係止孔を形成する。前記クリップを軸筒部材又はキャップ部材の開口端部から挿入し、クリップの後端部をクリップの係止孔の内側から外側に向けて突出させて取付ける構造で、以下、図面を用いて説明するが、同じ部材、同じ箇所を示すものには同じ符号を付してある。また、本発明の範囲は図示例に限定されるものではない。【００１３】
［第１の実施の形態］
図１〜図６に示す第１の実施の形態に係る筆記具のクリップ取付構造について説明する。図１は、第１の実施の形態に係る筆記具のクリップ取付構造を表す縦断面図である。図２は、図１におけるＡ−Ａ線部分の拡大横断面図である。図３は、第１の実施の形態における軸筒の平面図である。図４は、第１の実施の形態におけるクリップ２を軸筒１に取付ける工程を示した図で、要部を断面とした図である。図５は、次の工程の、クリップ２を軸筒１に配設し頭栓部材３を軸筒１に装着した状態を示した縦断面図である。図６は、第１の実施の形態における頭栓部材３の斜視図である。【００１４】
図１に示す第１の実施の形態に係る筆記具のクリップ取付構造は、内部にボールペンレフィル（図示せず）等を収納した金属製の軸筒１にクリップ２を取付ける構造である。軸筒１は、内部に収容した筆記体の筆記先端部が出没する側と反対側の頭端部も開口しており、頭栓部材３を装着して開口部１ａを閉塞している。軸筒１の内部には、内軸４が設けられており、内軸４の小径部４ａを頭栓部材３に螺着した構造である。第１の実施の形態では、軸筒１が「軸筒部材又はキャップ部材」における軸筒部材に相当し、頭栓部材３がクリップ支持部材に相当する。
【００１５】
金属製のクリップ２は、クリップ片５の左右の両側面より延設した断面Ｕ字型の脚部６を形成し、脚部６の先端から延設され外方に向かって折曲して軸筒１の内壁面に当接する当接部７を設けてある（図２を参照）。前記脚部６は先端より後端側に離れた位置に形成してあり、脚部６より前方に位置するクリップ２の部分を軸筒１の外周面に載置する載置部８としてある。図示していないが、クリップ片５の長手方向に対し垂直方向の横幅は、クリップの後端部２ｂ側に行くにしたがい漸次小幅に形成してある。【００１６】
軸筒１の頭栓部材３側の周面には、図３に示すようにクリップ係止孔９が設けてある。該クリップ係止孔９は、クリップ２の脚部６の横幅より大きく当接部７の横幅より小幅に形成して、当接部７以外のクリップ片５及び脚部６はクリップ係止孔９を通過可能としてある。頭栓部材３が装着する軸筒１の開口部１ａからクリップ係止孔９までの距離は、クリップ２の全長より短い長さである。【００１７】
クリップ２をクリップ係止孔９に係止して配設するには、図４に示すように、先ず、クリップ２の後端部２ｂを軸筒１の開口部１ａから軸筒１内に軸心に沿った方向に挿入し、クリップ係止孔９を通してクリップ２を矢印方向に軸筒１の内側から外側に突出させ、クリップ２の載置部８をクリップ係止孔９の縁部の軸筒１の外壁面１ａａに接地させ、脚部６から延設された当接部７をクリップ係止孔９の縁部における軸筒１の内壁面１ｂｂに当接させる。【００１８】
次に、クリップ２の前記状態において、頭栓部材３を軸筒１の開口部１ａに挿入する。頭栓部材３には、クリップ２の脚部６より延設された当接部７を支持する支持部１０を設けてあり、該支持部１０に当接部７を支持して挿入する（図５の状態）。支持部１０は中央部に軸筒１の内壁周面よりも大きな弧状の円弧面とこの円弧面の両端にある平坦面とを有し、当接部７は、この大部分が円弧面に当接するとともに端部で平坦面に当接している。当接部７は支持部１０に支持され、クリップ２が軸心に向かう方向（軸心に沿った方向に垂直な方向）に移動すること、すなわちクリップ２がクリップ係止孔９へ沈み込むことが、防止される。【００１９】
次に、内軸４を軸筒１の前記開口部１ａとは反対側の開口部（図示せず）から挿入して、突出した小径部４ａに形成した外螺子部（第２螺子部）１１と頭栓部材３に形成した内螺子部（第１螺子部）１２とを螺着して、頭栓部材３と内軸４を連結してある。内軸４の小径部４ａと内軸４の太径との境界には段部１３が形成されている。図示していないが、内軸４は軸筒１内に配設した部材により軸心に沿った方向に前後動不可能に軸筒１に固定してある。図１に示すように段部１３がクリップ２の脚部６の後端面６ｂに当接し、クリップ２の脚部６の前端面６ａはクリップ係止孔９の前方縁面１４に当接しているので、クリップ２は軸心に沿った方向に前後動不可能にクリップ係止孔９に取付けられる。ここで、小径部４ａに形成した外螺子部１１を頭栓部材３に形成した内螺子部１２に螺着して小径部４ａを前進させるようにしたので、段部１３によって脚部６の後端面６ｂを押しつけるとともに脚部６の前端面６ａをクリップ係止孔９の前方縁面１４にに押しつけることが可能になる。また、脚部６より前方に位置するクリップ２の部分は載置部８に載置されているので、クリップ２の部分が載置部８に載置された状態で、クリップ２は段部１３を介して前方へ押しつけら、クリップ２はがたつきなくクリップ係止孔９に支持される。【００２０】
［第２の実施の形態］
図７〜図１４に示す第２の実施の形態に係る筆記具のクリップ取付構造について説明する。第２の実施の形態に係る筆記具のクリップ取付構造は、軸筒又はキャップの頭端部に頭端部材を装着したものであり、頭端部材にクリップ係止孔が設けられて、クリップをクリップ係止孔に取付けてなる取付構造である。本実施の形態では、軸筒（胴軸）の後端に配設したノック体を押圧することでペン先端部が軸筒（首軸）の先端に装着した頭端部材の開口部より出没する万年筆や、軸筒の頭端部に装着した頭端部材の開口部より軸筒内に収容した筆記体の筆記先端を繰出すためのノック体が突出したノック式筆記具等の頭端部材への取付構造として説明する。第２の実施の形態では、頭端部材２３が「軸筒部材又はキャップ部材」におけるキャップ部材に相当し、軸筒２１の内部に装着された内軸２２がクリップ支持部材に相当する。【００２１】
図７は、第２の実施の形態に係る筆記具のクリップ取付構造を表す縦断面図である。図８は、図７における要部の拡大図である。図９は、第２の実施の形態におけるクリップを取付けた状態の筆記具の平面図である。図１０は、第２の実施の形態における頭端部材の平面図である。図１１は、第２の実施の形態における軸筒の頭端部分の平面図である。図１２は、第２の実施の形態における内軸の平面図である。図１３は、第２の実施の形態に係る筆記具のクリップ取付構造においてクリップを頭端部材に取付ける工程を示した縦断面図である。図１４は、次の工程の、クリップを配設した頭端部材を軸筒に装着する状態を示した縦断面図である。【００２２】
図７に示す第２の実施の形態に係る筆記具のクリップ取付構造における軸筒２１は、金属製で内部に内軸２２を配設し、軸筒２１の小径に形成した頭端部２１ａに両端が開口した金属製の頭端部材２３を装着した構造である。頭端部材２３には、図１０に示すようにクリップ係止孔２４が設けてあり、軸筒２１に連結する側のクリップ係止孔２４を構成する後端縁辺２４ｃには、クリップ係止孔２４に突出した突片２５を設けてある。クリップ２の形状は、第１の実施の形態におけるクリップ２と同形状に形成してあり、前記クリップ係止孔２４は第１の実施の形態におけるクリップ係止孔９と同様に形成してあるので、クリップ２の当接部７以外のクリップ片５及び脚部６はクリップ係止孔２４を通過可能としてある。【００２３】
軸筒２１は、図１１に示すように、頭端部２１ａが頭端部材２３に挿着可能に小径となっており、頭端部２１ａには軸心に沿った方向に延びた貫通する切欠溝２６を１つ形成してある。軸筒２１の内部には内軸２２が装着されており、該内軸２２は、図１２に示すように軸筒２１の頭端部２１ａ内に収容する小径部２７を有しており、該小径部２７には軸心に沿った方向（軸心方向）に突出したクリップ係止孔２４より小幅な突出部２８を形成してある。小径部２７には、凹溝２９が形成してある。頭端部２１ａに形成された切欠溝２６を抜けて突出部２８が軸筒２１の前方で出る。【００２４】
クリップ２をクリップ係止孔２４に係止して配設するには、図１３に示すように、先ずクリップの後端部２ｂを、クリップ片５の裏側をクリップ係止孔２４に対向させた状態で頭端部材２３の軸筒２１に装着する側の開口部３０から頭端部材２３内に挿入し、クリップ係止孔２４を通してクリップ２を矢印αの方向に頭端部材２３の内側から外側に突出させ、クリップの後端部２ｂを矢印βに示すように頭端部材２３の開口部３０側へ回動してクリップ２の載置部８をクリップ係止孔２４の縁部の頭端部材の外壁面２３ａａに接地させ、図示していないが脚部の当接部をクリップ係止孔２４の縁部の内壁面に当接させる。次に、クリップ２の前記状態において、図１４に示すように、頭端部材２３を軸筒２１の頭端部２１ａに挿着する。前もって軸筒２１内に収容した内軸２２の小径部２７に形成した突出部２８は、頭端部材２３のクリップ係止孔２４に対し内側から外側に突出し、クリップ２の先端の内壁面２ａに当接するとともに、小径部２７に形成した凹溝２９にクリップ係止孔２４に設けた突片２５を係止させている（図８参照）。【００２５】
クリップ２は、図８に示すように内軸２２の突出部２８の先端がクリップ２の先端の内壁面２ａに当接しており、脚部６の前端面６ａはクリップ係止孔２４の前方縁面３１に当接しているので、クリップ２の軸心に沿った方向への前後動は抑止される。
第１の実施の形態においては、当接部７は脚部６から均等に延設されて当接部７が形成されていたが、本実施の形態では、図９に示すように、クリップ２の当接部７は、脚部６から均等に延設された部分に加えて、当接部７に後部には均等に延設された部分からさらに延設された突起部７ａが形成されている。突起部７ａは軸筒２１の頭端部２１ａの頭端面２１ａａに当接することができる。このように、本実施の形態では、クリップ２の当接部７にさらに軸筒２１の頭端部２１ａの頭端面２１ａａに当接する突起部７ａを設けてあるので、クリップ２の軸心に沿った方向への前後動をより確実に不可能なものとすることができる。
また、小径部２７に形成した凹溝２９にクリップ係止孔２４に設けた突片２５が係止するので、頭端部材２３が軸筒２１の頭端部２１ａから抜け出すのを防止している。また、クリップ２の載置部８のクリップ係止孔２４の縁部の頭端部材の外壁面２３ａａとの当接と、クリップ２の後端部２ｂの軸筒２１の外表面２１ｂとの当接により、クリップ２のクリップ係止孔２４への沈み込みはない。【００２６】
［第３の実施の形態］
図１５〜図２０に示す第３の実施の形態に係る筆記具のクリップ取付構造について説明する。第３の実施の形態の取付構造は、筆記先端部挿入開口端部のみ開口したキャップにクリップ係止孔が設けられ、該クリップ係止孔にクリップを取付けてなる取付構造である。第３の実施の形態では、キャップ５１がキャップ部材に相当し、内キャップ５２がクリップ支持部材に相当する。
図１５は、第３の実施の形態に係る筆記具のクリップ取付構造を表す縦断面図である。図１６は、図１５におけるＢ−Ｂ線部分の拡大横断面図である。図１７は、第３の実施の形態におけるキャップの平面図である。図１８は、第３の実施の形態におけるクリップをキャップに取付ける工程を示した図で、要部を断面とした図である。図１９は、次の工程の、クリップをキャップに配設しキャップ内に内キャップを装着する状態を示した、要部を断面とした図である。図２０は、第３の実施の形態における内キャップの斜視図である。【００２７】
図１５に示す第３の実施の形態に係る筆記具のクリップ取付構造におけるキャップ５１は、金属製で内部に内キャップ５２を配設した、筆記先端部挿入開口端部のみ開口した形状である。キャップ５１には、図１７に示すようにクリップ係止孔５３が設けてあり、クリップ２の形状は、第１の実施の形態におけるクリップ２と同形状に形成してあり、前記クリップ係止孔５３は第１の実施の形態におけるクリップ係止孔９と同様に形成してあるので、クリップ２の当接部７以外のクリップ片５及び脚部６はクリップ係止孔５３を通過可能としてある。また、キャップ５１の開口部５４からクリップ係止孔５３までの距離は、クリップ２の全長より短い長さとしてある。【００２８】
クリップ２をクリップ係止孔５３に係止して配設するには、図１８に示すように、先ずクリップの後端部２ｂを、クリップ片５の裏側をクリップ係止孔５３に対向させた状態で開口部５４からキャップ５１内に挿入し、クリップ係止孔５３を通してクリップ２を矢印αの方向にキャップ５１の内側から外側に突出させ、クリップの後端部２ｂを矢印βに示すように開口部５４側へ回動してクリップ２の載置部８をクリップ係止孔５３の縁部のキャップの外壁面５１ａａに接地させ、脚部６の当接部７をクリップ係止孔５３の縁部のキャップの内壁面５１ｂｂに当接させる。次に、クリップ２の前記状態において、図１９に示すように内キャップ５２をキャップ５１内に圧入挿着する。内キャップ５２には、クリップ２の脚部６の当接部７を支持する支持部５５を設けてあり、支持部５５に当接部７を支持するように挿入する。支持部５５は平坦な形状を有するが、湾曲していてもかまわない。当接部７は支持部５５に支持されて、キャップ５１の軸心に向かう方向への移動を防止してある。また、支持部５５の端部には段部５６が形成されており、段部５６はクリップ２の脚部６の後端面６ｂに当接しており、クリップ２の脚部６の前端面６ａはクリップ係止孔３３の前方縁面５７に当接しているので、クリップ２の軸心に沿った方向への前後動は不可能にクリップ係止孔５３に取付けられている。
【産業上の利用可能性】
【００２９】
本発明の筆記具の取付構造は、クリップの携帯時における布地を軸筒の表面としっかりと挟持するという機能を、クリップ片自体が撓むことによる挟持力を利用したクリップの取付構造として採用することができ、特にクリップが金属製でできており、メッキ等の表面加飾がなされた軸筒部材やキャップ部材等へクリップを取付ける際に、軸筒部材やキャップ部材等に傷が付きやすい場合の筆記具のクリップ取付構造として利用することができる。
【図１】
0004722924.tif 000002
【図２】
0004722924.tif 000003
【図３】
0004722924.tif 000004
【図４】
0004722924.tif 000005
【図５】
0004722924.tif 000006
【図６】
0004722924.tif 000007
【図７】
0004722924.tif 000008
【図８】
0004722924.tif 000009
【図９】
0004722924.tif 000010
【図１０】
0004722924.tif 000011
【図１１】
0004722924.tif 000012
【図１２】
0004722924.tif 000013
【図１３】
0004722924.tif 000014
【図１４】
0004722924.tif 000015
【図１５】
0004722924.tif 000016
【図１６】
0004722924.tif 000017
【図１７】
0004722924.tif 000018
【図１８】
0004722924.tif 000019
【図１９】
0004722924.tif 000020
【図２０】
0004722924.tif 000021